(57)【要約】      （修正有）【課題】構造、組み立てが簡単なヘルメットを提供する。【解決手段】帽子体１と、シールド２と、二つの枢接手段３とを含んでなり、該帽子体が左右両側に設けられた二つの接続部１２と、各接続部に設けられたネジ孔１２１と、ネジ孔に隣接して設けられた挿入孔１２２とを具え、シールドが左右両側からそれぞれ後方に延伸し、接続部外側に設けられ、貫通孔と溝孔と複数の棒状の第一係合歯とを具えた二つの回転部２２を含み、溝孔が位置決め端を含んでなり、二つの枢接手段がそれぞれ、シールドを帽子体上で上下に動かして角度を調節して位置決めするように接続し、各枢接手段が環状片と環状端縁部と凸部と第二係合歯を含む固定座３１と解除手段３２とを含み、解除手段がネジであって、環状片３１１の外側面に当接するナット３２１と、環状片に挿入し、ネジ孔内側に螺接するネジ棒３２２とを含んでなり、ナットの表面に溝が凹設される。【選択図】図１
0003157244.tif 000002
【実用新案登録請求の範囲】
【請求項１】
帽子体と、シールドと、二つの枢接手段とを含んでなり、
該帽子体が、左右両側に対向して設けられた二つの接続部と、それぞれの接続部に設けられたネジ孔と、ネジ孔に隣接して設けられた挿入孔とを具えてなり、
該シールドが、左右両側からそれぞれ後方に延伸し、接続部の外側に設けられた二つの回転部を含んでなり、それぞれの回転部がいずれも、ネジ孔に対応した貫通孔と、貫通孔に隣接し、挿入孔に貫通した溝孔と、貫通孔の外周面を囲うように複数の棒状に形成された第一係合歯とを含んでなり、溝孔が被覆するための位置決め端と、取り外すための位置決め端とを含んでなり、
二つの枢接手段がそれぞれ、シールドを帽子体上に回動自在に接続し、シールドを帽子体に対して上下に動かして角度を調整して位置決めし、それぞれの枢接手段が、シールドの回転部の外側に設けられた固定座と、固定座の位置決め状態を解除する解除手段とを含んでなり、該固定座が、回転部外側に設けられた環状片と、環状片内側端縁部から凸出して延伸し、貫通孔に挿設し、ネジ孔外周の環状端縁部と、環状片の内側端縁部から内側に凸出して延伸し、溝孔を穿設し、挿入孔に挿入される凸部と、環状片の内側面で第一係合歯に対応して形成された第二係合歯とを含んでなり、該解除手段がネジであって、環状片の外側面に当接するナットと、環状片に挿入し、ネジ孔内側に螺接するネジ棒とを含んでなり、ナットの表面に溝が凹設されることを特徴とするヘルメット。
【考案の詳細な説明】
【技術分野】
【０００１】
この考案は、ヘルメットであって、特に頭部に着用して頭部を保護するために供するヘルメットに関する。
【背景技術】
【０００２】
従来のヘルメットは、頭部に設けて使用者の頭部を保護するために用いる。
【０００３】
通常では、シールドのないヘルメットや、シールドの設けられたヘルメットの二種類がある。
【０００４】
現在、市場で販売されているシールドの設けられたヘルメットは、帽子体の前方端縁部に対応して弧状の長い棒状のフレームが回動自在に設けられる。
【０００５】
また、フレーム上にはシールドが設けられる。
【０００６】
使用する場合、フレームを帽子体の前後に動かして移動しする。
【０００７】
シールドはフレームから取り外すことも可能で、別のシールドに交換して使用してもよい。
【０００８】
しかしながら、シールドは、フレームを帽子体上に設けるため、必要な帽子体とシールド以外にフレームが必要になる。
【０００９】
よって、製造上、フレームを製造する設備と材料が必ず増加し、生産コストが増加するだけでなく、フレームを帽子体に設け、シールドをフレームに設ける作業にそれぞれ労力が必要になる。
【００１０】
よって、製造する場合、さらに多くの組み立て工程が必要で、組み立てにおいても比較的複雑になる。
【考案の開示】
【考案が解決しようとする課題】
【００１１】
この考案は、構造、組み立てが簡単なヘルメットを提供することを課題とする。
【課題を解決するための手段】
【００１２】
そこで、本考案者は従来の技術に見られる欠点に鑑みて鋭意研究を重ねた結果、帽子体と、シールドと、二つの枢接手段とを含んでなり、
該帽子体が、左右両側に対向して設けられた二つの接続部と、それぞれの接続部に設けられたネジ孔と、ネジ孔に隣接して設けられた挿入孔とを具えてなり、
該シールドが、左右両側からそれぞれ後方に延伸し、接続部の外側に設けられた二つの回転部を含んでなり、それぞれの回転部がいずれも、ネジ孔に対応した貫通孔と、貫通孔に隣接し、挿入孔に貫通した溝孔と、貫通孔の外周面を囲うように複数の棒状に形成された第一係合歯とを含んでなり、溝孔が被覆するための位置決め端と、取り外すための位置決め端とを含んでなり、
二つの枢接手段がそれぞれ、シールドを帽子体上に回動自在に接続し、シールドを帽子体に対して上下に動かして角度を調整して位置決めし、それぞれの枢接手段が、シールドの回転部の外側に設けられた固定座と、固定座の位置決め状態を解除する解除手段とを含んでなり、該固定座が、回転部外側に設けられた環状片と、環状片内側端縁部から凸出して延伸し、貫通孔に挿設し、ネジ孔外周の環状端縁部と、環状片の内側端縁部から内側に凸出して延伸し、溝孔を穿設し、挿入孔に挿入される凸部と、環状片の内側面で第一係合歯に対応して形成された第二係合歯とを含んでなり、該解除手段がネジであって、環状片の外側面に当接するナットと、環状片に挿入し、ネジ孔内側に螺接するネジ棒とを含んでなり、ナットの表面に溝が凹設されるヘルメットによって課題を解決できる点に着眼し、かかる知見に基づいて本考案を完成させた。
【００１３】
以下、この考案について具体的に説明する。
請求項１に記載のヘルメットは、帽子体と、シールドと、二つの枢接手段とを含んでなり、
該帽子体が、左右両側に対向して設けられた二つの接続部と、それぞれの接続部に設けられたネジ孔と、ネジ孔に隣接して設けられた挿入孔とを具えてなり、
該シールドが、左右両側からそれぞれ後方に延伸し、接続部の外側に設けられた二つの回転部を含んでなり、それぞれの回転部がいずれも、ネジ孔に対応した貫通孔と、貫通孔に隣接し、挿入孔に貫通した溝孔と、貫通孔の外周面を囲うように複数の棒状に形成された第一係合歯とを含んでなり、溝孔が被覆するための位置決め端と、取り外すための位置決め端とを含んでなり、
二つの枢接手段がそれぞれ、シールドを帽子体上に回動自在に接続し、シールドを帽子体に対して上下に動かして角度を調整して位置決めし、それぞれの枢接手段が、シールドの回転部の外側に設けられた固定座と、固定座の位置決め状態を解除する解除手段とを含んでなり、該固定座が、回転部外側に設けられた環状片と、環状片内側端縁部から凸出して延伸し、貫通孔に挿設し、ネジ孔外周の環状端縁部と、環状片の内側端縁部から内側に凸出して延伸し、溝孔を穿設し、挿入孔に挿入される凸部と、環状片の内側面で第一係合歯に対応して形成された第二係合歯とを含んでなり、該解除手段がネジであって、環状片の外側面に当接するナットと、環状片に挿入し、ネジ孔内側に螺接するネジ棒とを含んでなり、ナットの表面に溝が凹設される。
【考案の効果】
【００１４】
この考案によるヘルメットは、製造コストを削減するという効果を有する。
【考案を実施するための最良の形態】
【００１５】
この考案は、構造、組み立てが簡単なヘルメットであって、帽子体と、シールドと、二つの枢接手段とを含んでなり、該帽子体が、左右両側に対向して設けられた二つの接続部と、それぞれの接続部に設けられたネジ孔と、ネジ孔に隣接して設けられた挿入孔とを具えてなり、
該シールドが、左右両側からそれぞれ後方に延伸し、接続部の外側に設けられた二つの回転部を含んでなり、それぞれの回転部がいずれも、ネジ孔に対応した貫通孔と、貫通孔に隣接し、挿入孔に貫通した溝孔と、貫通孔の外周面を囲うように複数の棒状に形成された第一係合歯とを含んでなり、溝孔が被覆するための位置決め端と、取り外すための位置決め端とを含んでなり、
二つの枢接手段がそれぞれ、シールドを帽子体上に回動自在に接続し、シールドを帽子体に対して上下に動かして角度を調整して位置決めし、それぞれの枢接手段が、シールドの回転部の外側に設けられた固定座と、固定座の位置決め状態を解除する解除手段とを含んでなり、該固定座が、回転部外側に設けられた環状片と、環状片内側端縁部から凸出して延伸し、貫通孔に挿設し、ネジ孔外周の環状端縁部と、環状片の内側端縁部から内側に凸出して延伸し、溝孔を穿設し、挿入孔に挿入される凸部と、環状片の内側面で第一係合歯に対応して形成された第二係合歯とを含んでなり、該解除手段がネジであって、環状片の外側面に当接するナットと、環状片に挿入し、ネジ孔内側に螺接するネジ棒とを含んでなり、ナットの表面に溝が凹設されるヘルメットの構造と特徴を詳述するために具体的な実施例を挙げ、図示を参照にして以下に説明する。
【実施例】
【００１６】
図１、２、３は、この考案のヘルメットを示したものである。
【００１７】
図面によれば、この考案のヘルメットは、使用者が頭部に着用する帽子体１と、該帽子体１前方端縁部に設けられたシールド２と、該シールド２の左右両側それぞれを帽子体１上に回動自在に接続する二つの枢接手段３とを含んでなる。
【００１８】
該帽子体１は、下向きで前方が開放された頭部を設けるために供する内部空間１１を形成する。
【００１９】
該帽子体１は、内部空間１１の左右両側に対応して設けられた二つの接続部１２を設けてなる。
【００２０】
それぞれの接続部１２はいずれもネジ孔１２１と、該ネジ孔１２１に隣接して設けられた挿入孔１２２を設けてなる。
【００２１】
該シールド２は、帽子体１の内部空間１１前方端縁部を囲うように設けられた前方被覆部２１と、該前方被覆部２１の左右両側からそれぞれ後方に延伸し、接続部１２の外側に対応して設けられた二つの回転部２２とを含んでなる。
【００２２】
それぞれの回転部２２はいずれも、ネジ孔１２１に対応した貫通孔２２１と、貫通孔２２１に隣接し、挿入孔１２２に貫通した溝孔２２２と、貫通孔２２１の外周面を囲うように複数の棒状に形成された第一係合歯２２３とを含んでなる。
【００２３】
溝孔２２２は、被覆するために接続する位置決め端２２４と、取り外すための位置決め端２２５とを含んでなる。
【００２４】
それぞれの枢接手段３は、シールド２の回転部２２の外側に設けられた固定座３１と、該固定座３１の位置決めされた状態を解除する解除手段３２とを含んでなる。
【００２５】
該固定座３１は、回転部２２外側に設けられた環状片３１１と、環状片３１１内側端縁部から凸出して延伸し、貫通孔２２１に挿設し、ネジ孔１２１外周の環状端縁部３１２と、環状片３１１の内側端縁部から内側に凸出して延伸し、溝孔２２２を穿設し、挿入孔１２２に挿入される凸部３１３と、環状片３１１の内側面で、第一係合歯２２３に対応して形成された複数の棒状の第二係合歯３１４とを含んでなる。
【００２６】
解除手段３２はネジであって、環状片３１１の外側面に当接するナット３２１と、環状片３１１に挿入し、ネジ孔１２１の内側に螺設するネジ棒３２２とを含んでなる。
【００２７】
該ナット３２１は表面に凹設され、使用者が工具、板片、或いは硬貨を嵌合し、ナット３２１と、ネジ棒３２２とを連動して解除手段３２を回転して絞める、或いは回転して緩めるために供する溝３２３とを含んでなる。
【００２８】
該シールド２は、解除手段を中心として帽子体１に対向して上下に動かすと、第一係合歯２２３と第二係合歯３１４とが対応して噛接する。
【００２９】
シールド２が微妙に角度を調整して位置決めされる。
【００３０】
シールド２は帽子体１に対向して下方に向けて最も下方に移動し、シールド２が内部空間１１の前方を完全に被覆されると、それぞれの回転部２２の溝孔２２２の位置決め端２２４が凸部３１３で当接され位置決めされる。
【００３１】
よって、シールド２が下方に移動することがなく、シールド２の下方向に動く角度が制限される。
【００３２】
シールド２が帽子体１に対向して上方の最も上の位置（図２の点線参照）に移動し、シールド２が内部空間１１から完全に離れると、それぞれの回転部２２の溝孔２２２が位置決め端２２５から外れて凸部３１３が当接して位置決めされる。
【００３３】
よって、シールド２がさらに上方に移動することがなく、シールド２の上方に回転する角度を制限することができる。
【００３４】
上述の説明の通り、この考案のヘルメットは、枢接手段３でシールド２を直接、帽子体１上に回動自在に接続するため、従来のように別にフレームを設ける必要がない。
【００３５】
よって、生産コストを削減することができ、組み合わせる場合にも従来の製品に比べて簡単で、容易である。２
【００３６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００３７】
【図１】この考案のヘルメットを示した分解図である。
【図２】この考案のヘルメットの一部を示した説明図である。
【図３】この考案のヘルメットの一部を示した断面図である。
【符号の説明】
【００３８】
１         帽子体
１１       内部空間
１２       接続部
１２１     ネジ孔
１２２     挿入孔
２         シールド
２１       前方被覆部
２２       回転部
２２１     貫通孔
２２２     溝孔
２２３     第一係合歯
２２４     位置決め端
２２５     位置決め端
３         枢接手段
３１       固定座
３１１     環状片
３１２     環状端縁部
３１３     凸部
３１４     第二係合歯
３２       解除手段
３２１     ナット
３２２     ネジ棒
３２３     溝
【図１】
0003157244.tif 000003
【図２】
0003157244.tif 000004
【図３】
0003157244.tif 000005